(57)【要約】【課題】図柄表示器の視認性が低下することを意匠性の低下を招くことなく抑えること。【解決手段】風車８６にはファン７５が同軸状に連結されており、遊技球が遊技領域内に発射されている状態では遊技球が風車８６に衝突することに基づいてファン７５が風車８６と一体的に回転する。このため、ファン７５が風車８６の構成部品の一部であるかのように遊技者に見せることができるので、ファンが単独で回転する様子が遊技盤を通して見えていた従来に比べて意匠性が向上する。しかも、ファン７５が回転することに基づいて閉鎖空間の内部の熱気が外部に排出される。このため、遊技盤３０の後面で結露が発生し難くなるので、装飾図柄表示器の視認性が結露の影響で低下することを防止できる。【選択図】図５
2007244486.tif 000002
【特許請求の範囲】
【請求項１】
遊技球が転動可能な遊技領域を有する透光性の遊技盤と、
前記遊技盤の遊技領域内に設けられ、遊技球が入球不能な閉鎖状態および遊技球が入球可能な開放状態に相互に切換わることが可能な入球口装置と、
前記入球口装置を開放する大当りおよび前記入球口装置を開放しない外れを識別するための識別図柄が表示される表示領域を有するものであって、当該表示領域が前方から前記遊技盤の遊技領域を通して視覚的に認識可能となるように前記遊技盤の後方に設けられた図柄表示器と、
前記遊技盤と前記図柄表示器との間に設けられ、前記図柄表示器の表示領域を取囲む枠状のスペーサと、
前記遊技盤の遊技領域内に設けられ、前記遊技盤と前記スペーサと前記図柄表示器で囲まれた囲繞空間の内部および外部を相互に接続する通気口と、
前記遊技盤の遊技領域内に前記通気口の前方に位置して設けられ、前後方向へ延びる軸を中心に回転可能なものであって前記遊技盤の遊技領域内を転動する遊技球が衝突することに基づいて遊技球から回転力が付与される風車と、
前記風車に同軸状に連結され、前記風車と共に一方向へ回転することに基づいて前記囲繞空間の内部から外部または前記囲繞空間の外部から内部に前記通気口を通して空気を流すファンと
を備えたことを特徴とするパチンコ遊技機。
【発明の詳細な説明】
【技術分野】
【０００１】
本発明は、遊技球が転動可能な遊技領域を有する透光性の遊技盤を備えたパチンコ遊技機に関する。
【背景技術】
【０００２】
上記パチンコ遊技機には遊技盤の後方に図柄表示器を配置し、前方から遊技盤を通して図柄表示器の表示内容を視認できるように構成したものがある。このパチンコ遊技機の場合、図柄表示器と遊技盤との間に枠状のスペーサを介在し、図柄表示器で発生する熱が遊技盤側へ伝わることをスペーサによって抑えている。このため、遊技盤の後方に遊技盤と図柄表示器とスペーサの３部材で囲まれた囲繞空間が形成されるので、囲繞空間の内気が図柄表示器で発生する熱によって加熱されることに基づいて囲繞空間の外気に比べて大きく昇温する。従って、遊技盤の後面で結露が発生し易くなるので、図柄表示器の表示内容が結露の影響で見辛くなる虞がある。特に図柄表示器を遊技盤にスペーサを介して接合する構成の場合には遊技盤およびスペーサ相互間の密着度が高まる上にスペーサおよび図柄表示器相互間の密着度が高まるので、囲繞空間の密閉度が高まることに基づいて結露の発生も顕著になる。
【特許文献１】特開２００５−１５２５７９号公報
【発明の開示】
【発明が解決しようとする課題】
【０００３】
本件出願人は囲繞空間の内気を換気装置によって強制的に外部に排出し、囲繞空間の内部に外気を対流させることで結露の発生を防止することを提案した。この構成の場合、換気装置としてファンおよびファンモータが必ず必要になるが、ファンおよびファンモータの両者が遊技盤を通して見えないように換気装置を隠すことは透光性の遊技盤を使用している都合上から困難である。このため、特にファンが回転する様子が透明な遊技盤を通して遊技者から見えてしまうので、意匠性の低下といった新たな問題がある。しかも、ファンモータを囲繞空間の内外の温度差に応じて必要時のみ駆動することで消費電力量を抑える必要がある。このため、ファンモータに加えて囲繞空間の内部の温度を検出する温度センサと囲繞空間の外部の温度を検出する温度センサとファンモータを駆動制御する制御装置が必要になるので、電気的な部品点数が増える新たな問題も発生する。
【０００４】
本発明は上記事情に鑑みてなされたものであり、その目的は、図柄表示器の視認性が低下することを意匠性の低下および電気的な部品点数の増加を招くことなく抑えることが可能なパチンコ遊技機を提供することにある。
【課題を解決するための手段】
【０００５】
請求項１記載のパチンコ遊技機は［１］遊技盤〜［７］ファンを備えたところに特徴を有している。
［１］遊技盤は遊技球が転動可能な遊技領域を有するものであり、透光性の材料から形成されている。図２の符号３０は遊技盤の一例であり、図２の符号３７は遊技領域の一例である。
［２］入球口装置は遊技盤の遊技領域内に設けられたものであり、遊技球が入球不能な閉鎖状態および遊技球が入球可能な開放状態に相互に切換わることが可能なものである。図２の特別電動入賞装置４４は入球口装置の一例である。
［３］図柄表示器は識別図柄が表示される表示領域を有するものである。この識別図柄は入球口装置を開放する大当りおよび入球口装置を開放しない外れを識別するためのものであり、図柄表示器は表示領域が前方から遊技盤の遊技領域を通して視覚的に認識可能となるように遊技盤の後方に設けられている。図３の装飾図柄表示器１８０は図柄表示器の一例であり、液晶パネル１８１の前面の全体が表示領域に設定されている。この液晶パネル１８１は左列の図柄要素と中列の図柄要素と右列の図柄要素の組合せからなる装飾図柄が表示されるものであり、装飾図柄は識別図柄に相当する。
［４］スペーサは遊技盤と図柄表示器との間に設けられたものであり、図柄表示器の表示領域を取囲む枠状をなしている。図２の符号１３０はスペーサの一例であり、スペーサ１３０は、図３に示すように、枠状の裏樋１００および枠状の液晶ステー１２０を相互に接合することから構成されている。
［５］通気口は遊技盤の遊技領域内に設けられたものである。この通気口は囲繞空間の内部および外部を相互に接続するものであり、囲繞空間とは遊技盤とスペーサと図柄表示器で囲まれた空間を称する。図５の後通気口６６は通気口の一例である。この後通気口６６は直接的には風車台枠６１に形成されたものであり、風車台枠６１を遊技盤３０の貫通孔内に固定することで遊技盤３０に設けられている。この風車台枠６１は図４の風車ユニット６０および図４の風車ユニット９０のそれぞれに設けられている。
［６］風車は遊技盤の遊技領域内に通気口の前方に位置して設けられたものである。この風車は前後方向へ延びる軸を中心に回転可能なものであり、遊技盤の遊技領域内を転動する遊技球が衝突することに基づいて遊技球から回転力が付与される。図５の符号８６は風車の一例である。この風車８６は複数の釘部材７４の集合体を称するものであり、図５の符号７１は風車８６の軸を示している。この風車８６は図４の風車ユニット６０および図４の風車ユニット９０のそれぞれに設けられている。
［７］ファンは風車に同軸状に連結されたものであり、風車と一体的に一方向へ回転することに基づいて囲繞空間の内部から外部または囲繞空間の外部から内部に通気口を通して空気を流す。図５の符号７５はファンの一例である。このファン７５は図４の風車ユニット６０および図４の風車ユニット９０のそれぞれに設けられたものであり、風車ユニット６０のファン７５は時計回り方向の一方向へ回転することに基づいて囲繞空間の内部から外部に後通気口６６を通して空気を流し、風車ユニット９０のファン７６は時計回り方向の一方向へ回転することに基づいて囲繞空間の外部から内部に後通気口６６を通して空気を流す。
【０００６】
請求項１記載のパチンコ遊技機によれば、遊技者が遊技球を遊技領域内に発射している状態では図柄表示器の表示領域に識別図柄が可変状態で表示されている確率が高い。この識別図柄の可変状態では図柄表示器の表示領域内に趣向を凝らした映像が表示されているので、表示領域の表面温度が識別図柄の可変停止状態に比べて高くなり、囲繞空間の内気が表示領域によって加熱されることに基づいて昇温し易くなる。この囲繞空間の内気が昇温し易い状態では遊技領域内を転動する遊技球が風車に衝突し、ファンが風車と一体的に回転している。このため、ファンが風車と一体的に回転することに基づいて囲繞空間の内部の熱気を外部に通気口を通して排出したり、あるいは、囲繞空間の外部の冷気を囲繞空間の内部に通気口を通して供給するので、囲繞空間の内部の温度が外部の温度に比べて大幅に高くなることが抑えられる。従って、遊技盤の後面で結露が発生することをファンモータと温度センサと制御装置のいずれも使用することなく防止できる。しかも、ファンが風車と一体的に同軸状に回転するので、ファンが風車の構成部品の一部であるかのように遊技者に見せることができ、ファンの存在が遊技者に違和感を与えることもなくなる。このため、ファンが単独で回転する様子が遊技盤を通して見えていた従来に比べて意匠性が向上するので、総じて図柄表示器の視認性が低下することを意匠性の低下および電気的な部品点数の増加を招くことなく抑えることができる。
【発明を実施するための最良の形態】
【０００７】
【実施例１】
【０００８】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。
【０００９】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に相互に回動操作されるものであり、図１は上皿板１２を閉鎖状態で示している。
【００１０】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射モータが固定されており、発射ハンドル１５が回動操作されたときには発射モータに駆動電源が与えられ、発射モータの回転軸が一定方向へ一定速度で回転する。この発射モータの回転軸には、図２に示すように、発射装置１６が連結されている。この発射装置１６はレール台４に装着されたものであり、打球槌および駆動機構を有している。この駆動機構は発射モータの回転力を駆動源として打球槌を操作するものであり、打球槌は駆動機構によって操作されることに基づいて上皿１３内から供給される遊技球を叩き、遊技球をレール台４の発射レールに沿って発射する。
【００１１】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に相互に回動操作されるものであり、図１は窓枠１７を閉鎖状態で示している。この窓枠１７は円形孔状の窓部を有するものであり、窓部の内周面には透明な窓１８が固定されている。
【００１２】
内枠２の遊技盤収納部５内には、図２に示すように、遊技盤ユニット２０が着脱可能に収納されている。この遊技盤ユニット２０は、図３に示すように、遊技盤３０と裏樋１００と液晶ステー１２０と下意匠板１４０と上意匠板１５０と裏樋カバー１６０と表示器ケース１７０と装飾図柄表示器１８０と表示基板ボックス１９０を有するものであり、遊技盤３０〜表示基板ボックス１９０の詳細構成は次の通りである。
１．遊技盤３０の説明
遊技盤３０は透明な合成樹脂製の板から構成されたものである。この遊技盤３０の前面には、図４に示すように、外レール３１および内レール３２が固定されており、外レール３１と内レール３２との間には発射通路３３が形成されている。この発射通路３３は遊技盤３０の左端部に位置する円弧状の空間部を称するものであり、発射装置１６が発射した遊技球は発射レールから発射通路３３内に発射通路３３の入口３４から進入し、発射通路３３に沿って円弧状の軌跡を描きながら上昇した後に発射通路３３の出口３５から放出される。
【００１３】
遊技盤３０の前面には右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域のうち発射通路３３を除く円形状の領域を称するものであり、発射通路３３の出口３５から放出された遊技球が転動可能な最大範囲に相当する。この遊技領域３７内には複数の障害釘３８が固定されており、発射通路３３の出口３５から遊技領域３７内に放出された遊技球は障害釘３８に当りながら遊技領域３７内を転動する。
【００１４】
遊技盤３０の前面には飾りレール３９が固定されており、飾りレール３９と外レール３１との間には球通路４０が形成され、飾りレール３９と内レール３２との間には球通路４１が形成されている。これら球通路４０および球通路４１のそれぞれは発射通路３３の出口３５から遊技領域３７内に放出された遊技球が転動可能なものであり、左方の球通路４１内には複数の障害釘３８が固定され、上方の球通路４０内には障害釘３８が固定されていない。遊技盤３０の前面には遊技領域３７の外部に位置して銘板台４２が固定されている。この銘板台４２の前面にはシールが貼付されており、シールには機種名・製造社名・大当り確率・賞品球の払出し個数が記入されている。
【００１５】
遊技盤３０には遊技領域３７内に位置して電動始動装置４３および特別電動入賞装置４４が固定されている。電動始動装置４３は上始動口４５および下始動口４６を上下２段に有するものであり、上始動口４５および下始動口４６のそれぞれは上面が開口するポケット状をなしている。これら上始動口４５内および下始動口４６内のそれぞれには始動口センサが装着されており、上始動口４５内の始動口センサは遊技球が上始動口４５内に入賞したことを検出して主制御回路に始動信号を出力し、下始動口４６内の始動口センサは遊技球が下始動口４６内に入賞したことを検出して主制御回路に始動信号を出力する。この主制御回路は内枠２に固定されたものであり、始動信号を検出することに基づいて上皿１３内に設定個数の遊技球を賞品球として払出し、大当りおよび外れの判定処理を行う。
【００１６】
下始動口４６には２枚の羽根板４７が装着されており、両羽根板４７は共通の始動口ソレノイドに連結されている。これら両羽根板４７は始動口ソレノイドが断電されることに基づいて垂直な縮小状態になるものであり、図４は両羽根板４７を縮小状態で示している。これら両羽根板４７の縮小状態では両羽根板４７相互間の隙間が上始動口４５によって上方から閉鎖され、遊技球が下始動口４６内に入賞することが不能になる。これら両羽根板４７は始動口ソレノイドが通電されることに基づいて水平な拡大状態に回動するものであり、両羽根板４７の拡大状態では下始動口４６の左右両側部を落下する遊技球が羽根板４７によって捕捉されることに基づいて下始動口４６内に入賞可能になる。
【００１７】
特別電動入賞装置４４は前面が開放する特別入賞口および扉４８を有するものであり、扉４８は特別入賞口ソレノイドに連結されている。この扉４８は特別入賞口ソレノイドの断電状態で垂直な閉鎖状態になることに基づいて特別入賞口の前面を遊技球が入賞不能に閉鎖するものであり、図４は扉４８を閉鎖状態で示している。この扉４８は特別入賞口ソレノイドの通電状態で前方へ水平に倒れた開放状態に回動するものであり、扉４８の開放状態では遊技球が扉４８に乗って特別入賞口内に転がり込むことが許容される。この特別入賞口内にはカウントセンサが装着されており、カウントセンサは遊技球が特別入賞口内に入賞したことを検出して主制御回路にカウント信号を出力し、主制御回路はカウント信号を検出することに基づいて上皿１３内に設定個数の遊技球を賞品球として払出す。この特別電動入賞装置４４は入球口装置に相当するものである。
【００１８】
遊技盤３０には、図３に示すように、始動口取付孔４９および特別入賞口取付孔５０が形成されており、始動口取付孔４９内には電動始動装置４３の樋５１が挿入され、特別入賞口取付孔５０内には特別電動入賞装置４４の樋５２が挿入されている。樋５１は電動始動装置４３の上始動口４５および下始動口４６の双方に接続されたものであり、上始動口４５内に入賞した遊技球および下始動口４６内に入賞した遊技球はいずれも樋５１に沿って後方へ転がる。樋５２は特別電動入賞装置４４の特別入賞口に接続されたものであり、特別入賞口内に入賞した遊技球は樋５２に沿って後方へ転がる。遊技盤３０には特別入賞口取付孔５０の下方に位置してアウト孔５３が形成されている。このアウト孔５３は、図４に示すように、内レール３２の最低部に配置されたものであり、上始動口４５と下始動口４６と特別入賞口のいずれにも入賞しなかった遊技球は内レール３２に沿ってアウト孔５３内に転がり込む。
【００１９】
遊技盤３０には、図３に示すように、左側部に位置して風車取付孔５４が形成されている。この風車取付孔５４は左方の幅広な球通路４１内に配置されたものであり、風車取付孔５４内には、図４に示すように、風車ユニット６０が装着されている。以下、風車ユニット６０について説明する。風車取付孔５４の内周面には、図５に示すように、風車台枠６１が固定されている。この風車台枠６１は円筒状の後台枠６２および円筒状の前台枠６３を相互に接合することから構成されたものであり、後台枠６２および前台枠６３のそれぞれは透明な合成樹脂を材料に形成されている。
【００２０】
後台枠６２の後端部には後板６４が形成されており、後板６４の中央部には前後方向へ延びる円筒状の軸受部６５が形成されている。この後板６４には通気口に相当する複数の後通気口６６が形成されている。これら複数の後通気口６６はいずれも軸受部６５の外周部に位置するものであり、軸受部６５の軸心線ＣＬを中心とする共通の円形軌跡上に円周方向に等ピッチで配列されている。前台枠６３の前端部にはフランジ部６７が形成されている。このフランジ部６７は前台枠６３を周回するものであり、風車台枠６１はフランジ部６７が遊技盤３０の前面に接触することに基づいて前後方向に位置決めされている。
【００２１】
風車台枠６１の内部には円筒状のロータ６８が収納されている。このロータ６８は透明な合成樹脂を材料に形成されたものであり、ロータ６８の前端部には前板６９が形成されている。この前板６９の中央部には後方へ延びる円筒状のボス部７０が形成されており、ボス部７０の内周面には軸に相当する金属製の回転軸７１の前端部が固定されている。この回転軸７１の後端部は軸受部６５の内周面に回転可能に支持されており、回転軸７１の外周面には軸受部６５の後方に位置して抜止め用のＥリング７２が固定されている。ロータ６８の前板６９には複数の前通気口７３が形成されている。これら複数の前通気口７３はいずれもボス部７０の外周部に位置するものであり、ボス部７０の軸心線ＣＬを中心とする共通の円形軌跡上に円周方向に等ピッチで配列されている。
【００２２】
ロータ６８には複数の釘部材７４からなる風車８６が固定されている。これら各釘部材７４は透明な合成樹脂を材料に形成されたものであり、ロータ６８の前板６９に固定されている。これら各釘部材７４は前後方向へ延びる円筒状をなすものであり、各釘部材７４の前端部には釘部材７４に比べて径大な円形板状の頭部７５が形成されている。これら複数の釘部材７４はいずれもボス部７０の外周部に位置するものであり、ボス部７０の軸心線ＣＬを中心とする共通の円形軌跡上に円周方向に等ピッチで配列されている。これら複数の釘部材７４のそれぞれは遊技球が衝突することに基づいて遊技球の挙動に変化を付与するものであり、遊技球が釘部材７４に衝突したときには遊技球の釘部材７４に対する衝突状態に応じてロータ６８に時計回り方向の回転力および反時計回り方向の回転力のいずれかがが付与される。
【００２３】
ロータ６８の内部には軸流形のファン７５が収納されており、ロータ６８はファン７５用のケーシングとして機能する。このファン７５は透明な合成樹脂を材料に形成されたものであり、複数の羽根板７６および円筒状のベース部７７を有している。このベース部７７はロータ６８のボス部７０の外周面に接合されており、ファン７５はロータ６８の回転軸７１に対して同心状に風車８６に連結されている。複数の羽根板７６はいずれもベース部７７の外周面に形成されたものであり、風車８６と一体的に回転軸７１を中心に回転可能にされている。これら複数の羽根板７６は時計回り方向へ正転することに基づいて後から前へ流れる多量の気流を生成するものであり、反時計回り方向へ逆転することに基づいて前から後へ流れる少量の気流を生成する。
【００２４】
前台枠６３にはコ字枠状の前ホルダ７８が形成されている。この前ホルダ７８は前台枠６３の頂上部から上方に突出するものであり、前ホルダ７８には風車台枠６１の内部に位置して垂直な前プレート７９が形成されている。後台枠６２には後ホルダ８０が形成されている。この後ホルダ８０は前ホルダ７８と同一のコ字枠状をなすものであり、後ホルダ８０の前端面は前ホルダ７８の後端面に接合されている。この後ホルダ８０には風車台枠６１の内部に位置して垂直な後プレート８１が形成されており、後プレート８１および前プレート７９相互間の隙間には透明な合成樹脂製のラチェットストッパ８２が収納されている。このラチェットストッパ８２には前後方向へ延びる軸８３が形成されており、軸８３の前端部は前プレート７９に回転可能に支持され、軸８３の後端部は後プレート８１に回転可能に支持されている。このラチェットストッパ８２は軸８３を基準に右方へ延びるものであり、軸８３を中心に自らの重さで時計回り方向へ下降傾斜している。
【００２５】
ロータ６８の外周面には円周方向の全域に位置してラチェット８４が形成されている。このラチェット８４はラチェットストッパ８２と同一方向へ下降傾斜する爪の集合体を称するものであり、遊技球から釘部材７４を通してロータ６８に時計回り方向の回転力が付与されたときにはラチェット８４がラチェットストッパ８２を反時計回り方向へ押上げることに基づいてロータ６８が時計回り方向へ正転することを許容し、遊技球から釘部材７４を通してロータ６８に反時計回り方向の回転力が付与されたときにはラチェットストッパ８２がラチェット８４に係合することに基づいてロータ６８が反時計回り方向へ逆転することを阻止する。これらラチェットストッパ８２およびラチェット８４はロータ６８が正転することを許容し且つ逆転することを阻止するワンウェイクラッチ８５として機能するものであり、ワンウェイクラッチ８５はファン７５がロータ６８と一体的に正転することを許容することに基づいて複数の後通気口６６から複数の前通気口７３を通して前方へ流れる気流が生成されることを許容し、ファン７５がロータ６８と一体的に逆転することを阻止することに基づいて複数の前通気口７３から複数の後通気口６６を通して後方へ流れる気流が生成されることを阻止する。
【００２６】
遊技盤３０には、図３に示すように、風車取付孔５４の右斜め下に位置して風車取付孔５５が形成されている。この風車取付孔５５内には、図４に示すように、風車ユニット９０が装着されており、風車ユニット９０は球通路４１内を通過した遊技球が衝突することに基づいて遊技球の挙動に変化を付与する。この風車ユニット９０の羽根板７６は時計回り方向へ正転することに基づいて前から後へ流れる多量の気流を生成し、反時計回り方向へ逆転することに基づいて後から前へ流れる少量の気流を生成する点で風車ユニット６０の羽根板７６と相違するものであり、風車ユニット９０のワンウェイクラッチ８５はファン７５がロータ６８と一体的に正転することを許容することに基づいて複数の前通気口７３から複数の後通気口６６を通して後方へ流れる気流が生成されることを許容し、ファン７５がロータ６８と一体的に逆転することを阻止することに基づいて複数の後通気口６６から複数の前通気口７３を通して前方へ流れる気流が生成されることを阻止する。
２．裏樋１００の説明
裏樋１００は、図３に示すように、下部裏樋１０１と左部裏樋１０２と右部裏樋１０３と上部裏樋１０４の４部材を相互に四角枠状に組合せることから構成されたものであり、後方から裏樋１００を通して遊技盤３０に複数のネジを螺合することで遊技盤３０の後面に直接的に接合されている。この裏樋１００の下部裏樋１０１には始動口挿入孔１０５および特別入賞口挿入孔１０６が形成されており、電動始動装置４３の樋５１は始動口挿入孔１０５内に挿入され、特別電動入賞装置４４の樋５２は特別入賞口挿入孔１０６内に挿入されている。この下部裏樋１０１にはアウト口１０７が形成されている。このアウト口１０７は前後面が開口する筒状をなすものであり、遊技盤３０のアウト孔５３の内周面に嵌合されている。
【００２７】
下部裏樋１０１には左下厚さ調整部１０８および右下厚さ調整部１０９が形成されている。これら左下厚さ調整部１０８および右下厚さ調整部１０９のそれぞれは遊技盤３０の前後方向の厚さ寸法を厚く調整するものであり、左下厚さ調整部１０８は遊技盤３０と共に左下の支え部６および左下のストッパ９相互間で挟持され、右下厚さ調整部１０９は遊技盤３０と共に右下の支え部６および右下のストッパ９相互間で挟持されている。上部裏樋１０４には左上厚さ調整部１１０および右上厚さ調整部１１１が形成されている。これら左上厚さ調整部１１０および右上厚さ調整部１１１のそれぞれは遊技盤３０の前後方向の厚さ寸法を厚く調整するものであり、左上厚さ調整部１１０は遊技盤３０と共に左上の支え部６および左上のストッパ７相互間で挟持され、右上厚さ調整部１１１は遊技盤３０と共に右上の支え部６および右上のストッパ７相互間で挟持されている。
３．液晶ステー１２０の説明
液晶ステー１２０は、図３に示すように、下部ステー１２１と左部ステー１２２と右部ステー１２３と上部ステー１２４を有する矩形枠状をなすものであり、下部ステー１２１と左部ステー１２２と右部ステー１２３と上部ステー１２４は単一物として一体成形されている。この液晶ステー１２０は後方から液晶ステー１２０を通して裏樋１００に複数のネジを螺合することで裏樋１００の後面に直接的に接合されたものであり、裏樋１００と共にスペーサ１３０（図２参照）を構成している。
３．下意匠板１４０の説明
下意匠板１４０は透明な合成樹脂製の板から構成されたものである。この下意匠板１４０は前方から下意匠板１４０を通して下部裏樋１０１に複数のネジを螺合することで下部裏樋１０１の前面に直接的に接合されたものであり、遊技盤３０と下部裏樋１０１との間に配置されている。この下意匠板１４０の前面には絵柄が印刷されており、下意匠板１４０の絵柄は前方から遊技盤３０を通して視覚的に認識可能にされている。この下意匠板１４０には、図３に示すように、始動口挿入孔１４１と特別入賞口挿入孔１４２と切欠部１４３が形成されており、電動始動装置４３の樋５１は始動口挿入孔１４１内を通して下部裏樋１０１の始動口挿入孔１０５内に挿入され、特別電動入賞装置４４の樋５２は特別入賞口挿入孔１４２内を通して下部裏樋１０１の特別入賞口挿入孔１０６内に挿入され、下部裏樋１０１のアウト口１０７は切欠部１４３を通して遊技盤３０のアウト孔５３内に嵌合されている。
４．上意匠板１５０の説明
上意匠板１５０は透明な合成樹脂製の板から構成されたものである。この上意匠板１５０は前方から上意匠板１５０を通して上部裏樋１０４に複数のネジを螺合することで上部裏樋１０４の前面に直接的に接合されたものであり、遊技盤３０と上部裏樋１０４との間に配置されている。この上意匠板１５０の前面には絵柄が印刷されており、上意匠板１５０の絵柄は前方から遊技盤３０を通して視覚的に認識可能にされている。
５．裏樋カバー１６０の説明
裏樋カバー１６０は後方から裏樋カバー１６０を通して下部裏樋１０１に複数のネジを螺合することで下部裏樋１０１の後面に直接的に接合されたものであり、裏樋カバー１６０には球排出路が形成されている。この球排出路は電動始動装置４３の樋５１から落下した遊技球および特別電動入賞装置４４の樋５２から落下した遊技球が進入するものであり、樋５１から落下した遊技球および樋５２から落下した遊技球はいずれも球排出路を通して裏樋カバー１６０の外部に排出される。
６．表示器ケース１７０の説明
表示器ケース１７０は下板部１７１と左板部１７２と右板部１７３と上板部１７４と後板部１７５を有する矩形皿状をなすものであり、下板部１７１と左板部１７２と右板部１７３と上板部１７４と後板部１７５の間には空間状の表示器収納部１７６が形成されている。この表示器ケース１７０の下板部１７１には２枚の下プレート１７７が形成され、表示器ケース１７０の上板部１７４には１枚の上プレート１７８が形成されており、各下プレート１７７には後方から複数のネジが挿入され、上プレート１７８には後方から複数のネジが挿入されている。各下プレート１７７に挿入された複数のネジのそれぞれは下部裏樋１０１に螺合され、上プレート１７８に挿入された複数のネジのそれぞれは上部裏樋１０４に螺合されており、表示器ケース１７０は裏樋１００を介して遊技盤３０の後面に間接的に接合され、液晶ステー１２０は、図２に示すように、表示器ケース１７０の前方に表示器収納部１７６から突出するように配置されている。
７．装飾図柄表示器１８０の説明
装飾図柄表示器１８０は表示器ケース１７０の表示器収納部１７６内に収納されたものであり、図３に示すように、液晶パネル１８１および液晶パネル１８１を保持する矩形状のパネルフレーム１８２を有している。このパネルフレーム１８２は液晶ステー１２０と表示器ケース１７０の後板部１７５との間で挟持されており、装飾図柄表示器１８０は遊技盤３０の後面に裏樋１００および液晶ステー１２０を介して間接的に接合されている。この装飾図柄表示器１８０は図柄表示器に相当するものであり、液晶パネル１８１の前面の全体が表示領域に相当する。
【００２８】
装飾図柄表示器１８０のパネルフレーム１８２は液晶ステー１２０の下部ステー１２１と左部ステー１２２と右部ステー１２３と上部ステー１２４のそれぞれに接触するものであり、装飾図柄表示器１８０は下部ステー１２１〜上部ステー１２４の４部材で囲まれた内部空間を後方から閉鎖する後蓋として機能している。この下部ステー１２１は裏樋１００の下部裏樋１０１に接触し、左部ステー１２２は裏樋１００の左部裏樋１０２に接触し、右部ステー１２３は裏樋１００の右部裏樋１０３に接触し、上部ステー１２４は裏樋１００の上部裏樋１０４に接触しており、裏樋１００および液晶ステー１２０のそれぞれは装飾図柄表示器１８０の液晶パネル１８１を取囲む枠状をなしている。これら遊技盤３０と裏樋１００と液晶ステー１２０と装飾図柄表示器１８０の４部材の間には遊技盤３０〜装飾図柄表示器１８０の４部材で相互に囲まれた閉鎖空間が形成されている。この閉鎖空間は囲繞空間に相当するものであり、閉鎖空間の内部は風車ユニット６０の複数の後通気口６６および複数の前通気口７３を介して外部に接続され、風車ユニット９０の複数の後通気口６６および複数の前通気口７３を介して外部に接続されている。
【００２９】
装飾図柄表示器１８０の液晶パネル１８１は下部裏樋１０１と左部裏樋１０２と右部裏樋１０３と上部裏樋１０４で囲まれた内部空間および下部ステー１２１と左部ステー１２２と右部ステー１２３と上部ステー１２４で囲まれた内部空間の後方に配置されたものであり、液晶パネル１８１の全体は、図４に示すように、前方から遊技盤３０と裏樋１００の内部空間と液晶ステー１２０の内部空間を通して視覚的に認識可能にされている。この液晶パネル１８１は大当りおよび外れを遊技者に報知する装飾図柄遊技の映像が表示されるものであり、風車ユニット６０および風車ユニット９０のそれぞれは液晶パネル１８１の前方に重ねて配置されている。
８．表示基板ボックス１９０の説明
表示基板ボックス１９０は、図３に示すように、表示器ケース１７０の後板部１７５に接合されたものである。この表示基板ボックス１９０の内部にはプリント配線基板が収納されており、プリント配線基板には表示制御回路１９１が搭載されている。この表示制御回路１９１はマイクロコンピュータを主体に構成されたものであり、液晶パネル１８１の表示内容を制御することで液晶パネル１８１に装飾図柄遊技の映像を表示する。
９．遊技盤ユニット２０の着脱手順の説明
遊技盤ユニット２０は上皿板１２および窓枠１７の双方が開放された状態で前方から内枠２の遊技盤収納部５内に収納されるものである。この遊技盤ユニット２０の収納状態では裏樋１００の左下厚さ調整部１０８と右下厚さ調整部１０９と左上厚さ調整部１１０と右上厚さ調整部１１１のそれぞれが内枠２の支え部６によって後方から支えられ、左下厚さ調整部１０８が遊技盤３０と共に前方のストッパ９と後方の支え部６との間で挟持され、右下厚さ調整部１０９が遊技盤３０と共に前方のストッパ９と後方の支え部６との間で挟持されており、残りの各ストッパ７が遊技盤３０に前方から重なるロック状態に回動操作されたときには左上厚さ調整部１１０が遊技盤３０と共に前方のストッパ７と後方の支え部６との間で挟持され、右上厚さ調整部１１１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部１１０と右上厚さ調整部１１１のそれぞれを遊技盤３０と共に挟持解除状態にする。
１０．遊技機能の説明
装飾図柄表示器１８０の液晶パネル１８１には、図６の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球が電動始動装置４３の上始動口４５内および下始動口４６内のいずれかに入賞したときには、図６の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は（１）左列の図柄要素（２）右列の図柄要素（３）中列の図柄要素の順序で変動停止する。
【００３０】
左列の図柄要素および右列の図柄要素の両者が変動停止した状態でリーチの組合せになったときには複数種の演出映像が選択的に表示される。このリーチの組合せとは、図６の（ｃ）に示すように、左列の図柄要素および右列の図柄要素が相互に同一な組合せを称するものであり、演出映像とは最終の中列の図柄要素が左列の図柄要素および右列の図柄要素の双方と同一の数字で変動停止するか否かを演出する物語調の映像を称する。図６の（ｄ）〜（ｆ）は演出映像の一例を示すものであり、殿が風呂の熱さに耐えられるか否かで中列の図柄要素が左列の図柄要素および右列の図柄要素の双方と同一の数字で変動停止するか否かが演出される。
【００３１】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。即ち、装飾図柄は大当りおよび外れを識別する識別図柄に相当するものである。大当り遊技は特別電動入賞装置４４の扉４８を開放し、特別電動入賞装置４４の特別入賞口内に遊技球が入賞することを許容する遊技者有利の状態を発生させるものであり、扉４８は特別入賞口内に上限値（例えば１０個）の遊技球が入賞する個数条件または開放時間が上限値（例えば３０ｓｅｃ）に達する時間条件が満足されるまで開放状態に保持される。この扉４８の個数条件および時間条件を基準とする開閉動作は大当りラウンドと称されるものであり、大当りラウンドは固定的な設定回数（例えば１５回）だけ繰返される。
１１．曇り止め機能の説明
装飾図柄表示器１８０の液晶パネル１８１に装飾図柄遊技の映像が表示されているときには液晶パネル１８１の薄膜トランジスタが装飾図柄遊技の映像の非表示状態に比べて高頻度でスイッチング制御される。このため、液晶パネル１８１の表面温度が装飾図柄遊技の映像の非表示状態に比べて高くなるので、閉鎖空間の内気が液晶パネル１８１によって加熱されることに基づいて昇温し易くなる。この装飾図柄遊技の映像が表示されているときには遊技者が遊技球を遊技領域３７内に発射しており、球通路４１内を転動する遊技球が風車ユニット６０の風車８６に繰返し衝突し、球通路４１内を通過した遊技球が風車ユニット９０の風車８６に繰返し衝突している。このため、風車ユニット６０のファン７５がロータ６８と一体的に正転することに基づいて閉鎖空間の内部の熱気が複数の後通気口６６および複数の前通気口７３を通して外部に排出され、風車ユニット９０のファン７５がロータ６８と一体的に正転することに基づいて閉鎖空間の外部の冷気が複数の前通気口７３および複数の後通気口６６を通して閉鎖空間の内部に吸引される。
【００３２】
上記実施例１によれば次の効果を奏する。
風車ユニット６０の風車８６にファン７５を同軸状に連結したので、装飾図柄表示器１８０に装飾図柄遊技の映像が表示された閉鎖空間の内気が昇温し易い状態では遊技領域３７内を転動する遊技球が風車ユニット６０の風車８６に衝突し、風車ユニット６０のファン７５が風車８６と一体的に回転する。このため、風車ユニット６０ファン７５が閉鎖空間の内部の熱気を外部に排出するので、閉鎖空間の内部の温度が外部の温度に比べて大幅に高くなることが抑えられる。従って、遊技盤３０の後面で結露が発生することをファンモータと温度センサと制御装置のいずれも使用することなく防止できる。しかも、風車ユニット６０ファン７５が風車８６と一体的に同軸状に回転するので、ファン７５が風車８６の構成部品の一部であるかのように遊技者に見せることができ、ファン７５の存在が遊技者に違和感を与えることもなくなる。このため、ファン７５が単独で回転する様子が遊技盤３０を通して見えていた従来に比べて意匠性が向上するので、総じて装飾図柄表示器１８０の液晶パネル１８１の視認性が低下することを意匠性の低下および電気的な部品点数の増加を招くことなく抑えることができる。これと共にファンモータの設置スペースが不要になるので、省スペース化が可能になる。この効果は閉鎖空間の外部の空気を閉鎖空間の内部に供給する風車ユニット９０のファン７５についても同一である。
【００３３】
閉鎖空間の内部から外部に熱気を排出する風車ユニット６０の排気用のファン７５および閉鎖空間の外部から内部に冷気を供給する風車ユニット９０の給気用のファン７５を設けたので、閉鎖空間の内部の温度が上昇することが効果的に抑えられる。しかも、排気用のファン７５が逆転することを防止するワンウェイクラッチ８５および給気用のファン７５が逆転することを防止するワンウェイクラッチ８５を設けたので、閉鎖空間の内部から熱気を排出して閉鎖空間の内部に冷気を供給する空気流が安定的に生成されるようになる。このため、排気用のファン７５が給気用のファン７５の正転状態で逆転することに基づいて両ファン７５が排気用として動作したり、給気用のファン７５が排気用のファン７５の正転状態で逆転することに基づいて両ファン７５が給気用として動作することが共になくなるので、閉鎖空間の内部の温度が上昇することが一層効果的に抑えられる。
【００３４】
風車ユニット６０を電動始動装置４３の左側に配置し、風車ユニット６０のファン７５を時計回り方向の一方向に回転規制したので、風車ユニット６０の風車８６に当った遊技球を風車８６の時計回り方向の回転で電動始動装置４３側へ向わせることができる。この効果は風車ユニット９０のファン７５についても同様である。
【００３５】
上記実施例１においては、風車８６の回転方向をワンウェイクラッチ８５によって規制することに基づいて気流の生成方向を一方向に限定したが、風車８６の回転方向を規制することなく気流の生成方向を一方向に限定しても良い。この場合、風車ユニット６０の風車台枠６１および風車ユニット９０の風車台枠６１のそれぞれに逆止弁を設け、風車ユニット６０の風車８６がファン７５と共に逆転することに基づいて閉鎖空間の外部の冷気が閉鎖空間の内部に供給されることを風車ユニット６０の逆止弁によって防止し、風車ユニット９０の風車８６がファン７５と共に逆転することに基づいて閉鎖空間の内部の熱気が閉鎖空間の外部に排出されることを風車ユニット９０の逆止弁によって防止すると良い。
【００３６】
上記実施例１においては、風車ユニット６０のワンウェイクラッチ８５および風車ユニット９０のワンウェイクラッチ８５のそれぞれを廃止し、風車ユニット６０の風車８６および風車ユニット９０の風車８６のそれぞれを正逆両方向へ回転可能にしても良い。
【００３７】
上記実施例１においては、風車ユニット６０および風車ユニット９０のいずれか一方を廃止しても良い。
上記実施例１においては、風車ユニット６０を電動始動装置４３の右側に配置しても良い。この場合、風車ユニット６０のファン７５が反時計回り方向へ回転することを許容すると共に時計回り方向へ回転することを規制するワンウェイクラッチを使用し、風車ユニット６０の風車８６に当った遊技球を電動始動装置４３側へ向わせることが好ましい。この構成は風車ユニット９０についても同様である。
【図面の簡単な説明】
【００３８】
【図１】実施例１を示す図（パチンコ遊技機の全体構成を示す斜視図）
【図２】遊技盤ユニットおよび内枠の両者を分解状態で示す斜視図
【図３】遊技盤ユニットそのものを分解状態で示す斜視図
【図４】遊技盤を示す図
【図５】風車を示す図
【図６】装飾図柄遊技の映像の一例を示す図
【符号の説明】
【００３９】
３０は遊技盤、３７は遊技領域、４４は特別電動入賞装置、６６は後通気口、７１は回転軸、７５はファン、８６は風車、１３０はスペーサ、１８０は装飾図柄表示器、１８１は液晶パネルを示している。
【図１】
2007244486.tif 000003
【図２】
2007244486.tif 000004
【図３】
2007244486.tif 000005
【図４】
2007244486.tif 000006
【図５】
2007244486.tif 000007
【図６】
2007244486.tif 000008